(57)【要約】【課題】再生時に所望の録音箇所を探し易い録音方式とした録音装置１０を提供する。【解決手段】録音開始に伴い、新規録音ファイルをオープンして、それにマイクロホン１１ａ又は１１ｂからのオーディオ信号のオーディオデータを格納する（Ｓ４２，Ｓ４４，Ｓ４５）。オーディオ信号を出力している方のマイクロホンが入れ替わったか否かを監視し（Ｓ５０）、入れ替わりがあれば、それまでオーディオデータを格納していた録音ファイルをクローズして、新規の録音ファイルをオープンし（Ｓ５２→Ｓ５３）、新規の録音ファイルへマイクロホン１１ａ又は１１ｂからのオーディオ信号のオーディオデータを格納する（Ｓ５４〜Ｓ５６）。結果、各発言者の各発言ごとに、録音ファイルが生成される。【選択図】図３
2010009649.tif 000002
【特許請求の範囲】
【請求項１】
複数のマイクロホン、
前記複数のマイクロホンの各々から供給されるオーディオ信号の有無を検出するマイクロホン検出手段、及び
前記マイクロホン検出手段による検出に基づいて、オーディオ信号の供給を行うマイクロホンの変更を判別することにより、前記オーディオ信号のオーディオデータを格納する録音ファイルの区切り処理を行う区切り処理手段、
を備えることを特徴とする録音装置。
【請求項２】
前記区切り処理手段は、少なくとも１つのマイクロホンからのオーディオ信号の出力が継続している期間及び／又はどのマイクロホンもオーディオ信号を出力していない期間は区切り処理を行わないことを特徴とする請求項１記載の録音装置。
【請求項３】
前記区切り処理手段は、前記複数のマイクロホンのうち所定のマイクロホンを基準マイクロホンとして設定し、前記複数のマイクロホンのうち基準マイクロホン以外のマイクロホンから前記基準マイクロホンへのマイクロホンの変更を判別するごとに区切り処理を行うことを特徴とする請求項１又は２のいずれかに記載の録音装置。
【請求項４】
前記区切り処理手段が実施する区切り処理とは、オーディオデータ格納中の録音ファイルを新規なものへ変更するものであることを特徴とする請求項１〜３のいずれかに記載の録音装置。
【請求項５】
前記区切り処理手段が実施する区切り処理とは、オーディオデータ格納中の録音ファイルのその時の録音位置に、再生時の移動先再生位置指定用のインデックスを設定するものであることを特徴とする請求項１〜３のいずれかに記載の録音装置。
【請求項６】
複数のマイクロホンの各々から供給されるオーディオ信号の有無を検出するマイクロホン検出ステップ、及び
前記マイクロホン検出ステップにおける検出に基づいて、オーディオ信号の供給を行うマイクロホンの変更を判別することにより前記オーディオ信号のオーディオデータを格納する録音ファイルの区切り処理を行う区切り処理ステップ、
を備えることを特徴とする録音方法。
【請求項７】
請求項１〜５のいずれかに記載の録音装置の各手段としてコンピュータを機能させるプログラム。
【発明の詳細な説明】
【技術分野】
【０００１】
本発明は、複数のマイクロホンを装備して録音ファイルを作成する録音装置、方法及びプログラムに関するものである。
【背景技術】
【０００２】
特許文献１は、録音後の再生に利便を発揮するように、録音時にインデックスを適切な録音位置に付与する音声記録再生装置を開示する（特許文献１の図２）。該音声記録再生装置では、各時点の発言者がどの方向にいるかをマイクロホンアレーの出力から検知し（特許文献１の図３のＳ４）、検知方向が閾値以上、変化した場合には、発言者が交代したと判断して、作成中の録音ファイルにおいてこの時の録音位置にインデックスを付けている（特許文献１の段落００３１及び図３のＳ５Ｙｅｓ→Ｓ６）。
【特許文献１】特開２００１−５６７００号公報
【発明の開示】
【発明が解決しようとする課題】
【０００３】
特許文献１の音声記録再生装置は、マイクロホンアレーの出力から発言者の方向を検知するために、複雑な処理が必要となり、処理装置の負荷が増大する。また、複数の発言者が接近して存在する場合には、マイクロホンアレーに対する方向差が少なかったり、あるいはほぼ同一になったりして、発言者の交代が検出困難になる。
【０００４】
本発明の目的は、処理負荷を増大させることなく、複数のマイクロホンを用いて録音するファイルを適切な位置で区切ることができる録音装置、方法及びプログラムを提供することである。
【課題を解決するための手段】
【０００５】
本発明によれば、複数のマイクロホンが複数の発言者に割り当てられ、それらマイクロホンから供給されるオーディオ信号の有無に基づき録音ファイルに対する区切り処理を実施する。区切り処理には、例えば録音ファイルを新規なものへ変更したり、再生位置探索用インデックスを付与したりする処理が含まれる。
【０００６】
本発明の録音装置は次のものを備えている。
複数のマイクロホン、
前記複数のマイクロホンの各々から供給されるオーディオ信号の有無を検出するマイクロホン検出手段、及び
前記マイクロホン検出手段による検出に基づいて、オーディオ信号の供給を行うマイクロホンの変更を判別することにより、前記オーディオ信号のオーディオデータを格納する録音ファイルの区切り処理を行う区切り処理手段。
【０００７】
本発明の録音方法は次のステップを備えている。
複数のマイクロホンの各々から供給されるオーディオ信号の有無を検出するマイクロホン検出ステップ、及び
前記マイクロホン検出ステップにおける検出に基づいて、オーディオ信号の供給を行うマイクロホンの変更を判別することにより前記オーディオ信号のオーディオデータを格納する録音ファイルの区切り処理を行う区切り処理ステップ。
【０００８】
本発明のプログラムは、本発明の前述の録音装置の各手段としてコンピュータを機能させる。
【発明の効果】
【０００９】
本発明によれば、複数のマイクロホンを用いて録音するファイルを適切な位置で区切ることができる。
【発明を実施するための最良の形態】
【００１０】
図１は録音装置１０の構成図である。録音装置１０は、２つのマイクロホン１１ａ，１１ｂと、録音装置本体１２と、左右のスピーカ１３ａ，１３ｂとを備える。マイクロホン１１ａ，１１ｂは、録音装置本体１２のそれぞれ別のマイクロホン端子へ接続されており、例えば講演時にはそれぞれ司会者と講演者に割り当てられて、使用される。マイクロホン１１ａ，１１ｂは、（ａ）スイッチ付きであって、使用者が使用時及び不使用時に手動でオン及びオフへ切り替えるものであってもよいし、（ｂ）スイッチ無しで、それらの出力オーディオ信号を録音装置本体１２へ常時、録音装置本体１２へ供給するものであってもよい。
【００１１】
図２は録音装置１０のブロック回路図である。ＵＳＢコネクタ２０は、ＵＳＢケーブルのミニＢ端子が着脱自在に装着されるようになっている。カードスロット２１はＳＤカードを挿抜自在に装填される。内蔵メモリ２２は、ＮＡＮＤ型フラッシュメモリ又はハードディスク装置から成る。
【００１２】
システムＬＳＩ２５はＣＰＵ２６及びエンコーダ・デコーダ２７を備える。ＣＰＵ２６は、ＵＳＢコネクタ２０、カードスロット２１及び内蔵メモリ２２へ制御信号を送り、システムＬＳＩ２５と他機（例：パソコン）、ＳＤカード及び内蔵メモリ２２との間でのデータ送受を制御する。エンコーダ・デコーダ２７は、カードスロット２１のＳＤカードや内蔵メモリ２２から受取ったオーディオデータを該オーディオデータの格納用のオーディオファイルのフォーマットに基づきデコードしたり、カードスロット２１のＳＤカードや内蔵メモリ２２へ送るオーディオデータについてオーディオファイル用の所定のフォーマットに基づきエンコードしたりする。
【００１３】
マイクロホンアンプ３０及びアナログ／デジタル変換器３１は、各マイクロホン１１ａ，１１ｂごとに用意されており、各マイクロホン１１ａ，１１ｂが生成したオーディオ信号は、対応のマイクロホンアンプ３０において増幅されてから、対応のアナログ／デジタル変換器３１においてデジタル信号へ変換され、さらにエンコーダ・デコーダ２７へ供給される。
【００１４】
デジタル／アナログ変換器３７及びスピーカアンプ３８は、チャンネルごとに設けられる。エンコーダ・デコーダ２７は、オーディオファイルの音の再生時には、オーディオファイルのデータをデコードしたデジタルオーディオ信号をデジタル／アナログ変換器３７へ供給する。デジタル／アナログ変換器３７は、該デジタルオーディオ信号をアナログオーディオ信号へ変換し、該アナログオーディオ信号は、スピーカアンプ３８において増幅されてから、スピーカ１３ａ，１３ｂへ送られ、スピーカ１３ａ，１３ｂにおいて音に変換されて、出力される。
【００１５】
録音装置１０は、ヘッドホン端子（図示せず）も装備しており、スピーカアンプ３８はヘッドホン端子へも接続されている。ユーザは、再生音をスピーカ１３ａ，１３ｂの代わりにヘッドホンから聴くこともできる。また、スピーカ出力を有さないポータブルタイプの録音装置であってもよい。
【００１６】
図３は録音方法４０のフローチャートである。録音方法４０を具体的に説明するために、マイクロホン１１ａ，１１ｂはそれぞれ司会者及び講演者に割り当てられた講演を想定する。
【００１７】
Ｓ４１では、オーディオ信号がマイクロホン１１ａ，１１ｂから録音装置本体１２に到来しているか否かを判定し、判定が正になりしだい、Ｓ４２へ進む。Ｓ４２では、新規録音ファイルをオープンする。Ｓ４２で新規オープンする録音ファイルは、該講演において最初の録音ファイルであり、該最初の録音ファイルのオープンに伴い、該講演の録音が開始される。なお、自動的な録音開始に代えて、操作者が手動で録音装置１０の録音スイッチを押す録音開始としてもよい。
【００１８】
Ｓ４３では、マイクロホン１１ａ，１１ｂの内、どちらからオーディオ信号が入力されているのかを調べる。そして、オーディオ信号がマイクロホン１１ａからの入力であれば、Ｓ４４へ進み、オーディオ信号がマイクロホン１１ｂからの入力であれば、Ｓ４５へ進む。Ｓ４４では、マイクロホン１１ａを録音ソースにセットし、また、Ｓ４５では、マイクロホン１１ｂを録音ソースにセットする。録音ソースのセットとは、具体的には、録音ソースとしたマイクロホンへのケーブルが接続されているマイクロホン端子のオーディオ信号のみを録音処理部へ導いて、該オーディオ信号のオーディオデータを生成して、それを格納した録音ファイルを作成することである。Ｓ４４又はＳ４５の後、Ｓ５０へ進む。
【００１９】
Ｓ５０では、オーディオ信号入力側のマイクロホンが変化したか否か、すなわち、司会者及び講演者間で発言者が交替したか否かを判定する。そして、判定が正であれば、Ｓ５１へ進み、否であれば、Ｓ５９へ進む。Ｓ５１より先にＳ５９について説明すると、Ｓ５９では、録音終了したか否かを判定する。録音終了は、録音編集者が録音装置本体１２の録音停止ボタンを操作することにより行われる。Ｓ５９の判定が否であれば、Ｓ５０へ戻って、オーディオ信号入力側のマイクロホンの変化を再び監視し、正であれば、Ｓ６０で録音ファイルをクローズして、録音方法４０を終了する。
【００２０】
Ｓ５１では、Ｓ５０でマイクロホンが交替したと判断した時に交替後のマイクロホン以外のいずれかのマイクロホンからの入力がなお継続しているか否かを判定する。この例では、マイクロホンは司会者用及び講演者用の２本しかないので、例えば、Ｓ５０で講演者用マイクロホンから司会者用マイクロホンへ交替したと判断した時点に講演者用マイクロホンからの入力がなお続いているか否かがＳ５１で判定される。この具体例については、後述の図５（ｂ）においてさらに説明する。
【００２１】
Ｓ５２では、録音ファイルをクローズする。Ｓ５３では、新規録音ファイルをオープンする。Ｓ５４〜Ｓ５６は、前述のＳ４３〜Ｓ４５と同一の処理である。Ｓ５５又はＳ５６の後、Ｓ５０へ戻って、オーディオ信号入力側のマイクロホンの変化を再び監視する。
【００２２】
こうして、録音方法４０では、発言者が司会者及び講演者間で交替するごとに、今までオーディオデータを格納していた録音ファイルがクローズされて、新規の録音ファイルへのオーディオデータの格納が開始される。これにより、発言の交替回数＋１の個数の録音ファイルが作成され、かつ各録音ファイルは司会者だけ又は講演者だけの１まとまりの発言に限定したものになり、ユーザは、後で、録音を再生する際には所望の発言を含む録音ファイルを能率的に探し出して、該発言を再生することができる。
【００２３】
図５はマイクロホン１１ａ，１１ｂが出力するオーディオ信号に対する録音装置１０における新規録音ファイルのオープンタイミング（＝旧録音ファイルのクローズタイミング）を示している。図５において各"↓"の時刻が新規録音ファイルのオープンタイミングである。図５において斜線ブロックの時間領域は、マイクロホンから所定レベル以上のオーディオ信号が出力されている期間であることを意味する。
【００２４】
図５（ａ）は、マイクロホン１１ａ，１１ｂが同時にオーディオ信号を出力することがない例であり、録音がされている状態において、マイクロホン１１ａからのオーディオ信号の出力が終了し、マイクロホン１１ｂからの出力が開始されたため、そのタイミングで録音ファイルの区切り処理を行う。その後マイクロホン１１ｂからのオーディオ信号により録音が開始された後、マイクロホン１１ｂからのオーディオ信号の出力が終了し、マイクロホン１１ａからの出力が開始されたため、録音ファイルの区切り処理を行う。
【００２５】
図５（ｂ）はマイクロホン１１ａ，１１ｂの一方（例：マイクロホン１１ｂ）からのオーディオ信号の出力期間が他方（例：マイクロホン１１ａ）からのオーディオ信号の出力期間と重複している例であり、録音がされている状態において、時刻ｔ１でマイクロホン１１ｂからの出力が開始されたが、そのタイミングにおいてマイクロホン１１ａからの出力が継続しているため、録音ファイルの区切り処理は行わない。その後、両マイクロホン１１ａ，１１ｂからの出力無の期間が生じてから、時刻ｔ２でマイクロホン１１ｂからのオーディオ信号の出力が開始されたため、そのタイミングをマイクロホンの変更タイミングとし、録音ファイルの区切り処理を行う。マイクロホン１１ｂからのオーディオ信号の出力により録音がされている状態において、時刻ｔ３でマイクロホン１１ａからの出力が開始されたが、そのタイミングにおいてマイクロホン１１ｂからの出力が継続しているため、録音ファイルの区切り処理は行わない。さらに同録音中にマイクロホン１１ｂの出力の終了（時刻ｔ４）、再開（時刻ｔ５）などにおいてもいずれかのマイクロホンからの出力が継続しているため、録音ファイルの区切り処理は行わない。
【００２６】
図４は別の録音方法６４のフローチャートである。録音方法６４において、図３の録音方法４０のステップと同一のステップについては、同符号を指示して、説明は省略する。録音方法６４では、録音方法４０のＳ５４〜Ｓ５６が廃止され、かつ、録音方法４０のＳ５１とＳ５２との間にＳ６５が挿入される。
【００２７】
Ｓ６５では、Ｓ５０でオーディオ信号入力側のマイクロホンが変化したと判定したことに対して、変化後のオーディオ信号入力側のマイクロホンか基準のマイクロホンであるか否かを判定し、判定が正であるならば、Ｓ５２へ進んで、Ｓ５２，Ｓ５３においてオーディオデータ格納中の録音ファイルを新規のものと変更し、判定が否であるならば、Ｓ５０へ戻って、オーディオ信号入力側のマイクロホンの変化を再び監視する。発言が、司会者→講演者→司会者→講演者→司会者→講演者→・・・と交互に変化する場合に、基準のマイクロホンをマイクロホン１１ａとすると、講演者の発言が終了して、発言が司会者の番になるごとに、オーディオデータ格納中の録音ファイルが新規なものへ変更される。基準のマイクロホンをマイクロホン１１ｂとしたときは、発言が講演者の番になるごとに、オーディオデータ格納中の録音ファイルが新規なものへ変更される。
【００２８】
講演は、司会者が講演者に問い掛けていて、講演者はその問い掛けに回答する形式で進行することがあり、このような進行に対して、司会者の発言と講演者の発言とは、対を形成して、内容的に１つのまとまりとなっていることが多い。録音方法６４は、全体の講演に含まれる小題目ごとの司会者及び講演者の発言に対して１つの録音ファイルを作成することになるので、図３の録音方法４０では、細切れ気味だった録音ファイルに対し、図４の録音方法６４では、録音ファイルの細切れを抑制して、録音ファイルを適切なまとまりの話に対応させることができる。
【００２９】
図５（ｃ）、図５（ｄ）はマイクロホン１１ａを基準マイクロホンとして設定した際の録音装置１０における新規録音ファイルのオープンタイミング（＝旧録音ファイルのクローズタイミング）を示している。図５（ｃ）、図５（ｄ）では、録音がされている状態において、基準マイクロホン以外（マイクロホン１１ｂ）から基準マイクロホン（マイクロホン１１ａ）への変更があった場合且ついずれかのマイクロホンからの出力が継続されていない場合において、録音ファイルの区切り処理が行われる。
【００３０】
前述の録音方法４０（図３），６４（図４）では、Ｓ４４，Ｓ４５，Ｓ５５，Ｓ５６で説明したように、各時点では、マイクロホン１１ａ又は１１ｂからのオーディオ信号のみからオーディオデータを生成して、それを録音ファイルに格納するようになっている。しかしながら、Ｓ４４，Ｓ４５，Ｓ５５，Ｓ５６は省略して、常時、マイクロホン１１ａ，１１ｂの両方からのオーディオ信号を混合したオーディオデータを生成して、それを録音ファイルに格納するようにしてもよい。この場合、録音ソースのマイクロホン切替を省略して、処理を簡略化できるとともに、図５（ｂ）、（ｄ）の場合のように、司会者及び講演者が同時に発言したときには、両者の発言を録音することができる。
【００３１】
図６は録音装置７０の機能ブロック図である。前述の録音装置１０（図１）は録音装置７０の一例である。録音装置７０は携帯型であってもよいとする。録音装置７０は、複数のマイクロホン７１、マイクロホン検出手段７２、及び区切り処理手段７４を備えている。マイクロホン７１はワイヤ型及びワイヤレス型のいずれであつてもよいとする。
【００３２】
複数のマイクロホン７１は、複数の発言者に割り当てられている。マイクロホン検出手段７２は、各マイクロホン７１から供給されるオーディオ信号の有無に基づき発言がどのマイクロホンにおいて行われているかを検出する。区切り処理手段７４は、マイクロホン７１からのオーディオ信号のオーディオデータを格納する録音ファイルに係る区切り処理を、マイクロホン検出手段７２が検出したマイクロホン（以下、適宜「検出マイクロホン」という）の変更に基づき行う。
【００３３】
１つのマイクロホン７１に割当てられている発言者は、単一に限定されず、複数を可とする。この場合、該１つのマイクロホン７１はそれら複数の発言者に共用されることになる。前述の録音装置１０では、マイクロホン１１ａ，１１ｂの総数が２であったが、録音装置７０では、マイクロホン７１の総数は３以上であってもよいとする。マイクロホン検出手段７２は、例えば、各録音時点でオーディオ信号を出力しているマイクロホン７１の数は１以下であるとして、原則的にはオーディオ信号を出力しているマイクロホン７１を検出マイクロホンとする。しかしながら、複数のマイクロホン７１が同時にオーディオ信号を出力していたり、どのマイクロホン７１もオーディオ信号を出力していない時も存在し、このような時は、例えば後述する仕方で検出マイクロホンを決める。
【００３４】
録音ファイルは、例えばＷＭＡ、ＷＡＶ又はＭＰ３の規格のものである。録音ファイルに格納するオーディオデータの基になっているオーディオ信号は、録音方法４０（図３），６４（図４）のＳ４４，Ｓ４５，Ｓ５４，Ｓ５５のように、検出マイクロホンだけからのみのとしてもよいし、全マイクロホン７１からのオーディオ信号を混合したものとしてもよい。
【００３５】
録音装置７０では、各時点の発言者がどの方向に存在するかの方向ではなく、各マイクロホン７１から供給されるオーディオ信号の有無に基づき現在発言中の発言者のマイクロホンを検出マイクロホンとして特定して、オーディオデータを格納する録音ファイルに係る区切り処理を検出マイクロホンの変更に基づき行うので、発言の区切りの検知のための処理負荷が軽減するとともに、検知の精度を上げて、オーディオデータ格納中の録音ファイルに係る区切りを適切化することができる。
【００３６】
区切り処理手段７４が実施する区切り処理とは、例えば（ａ１）オーディオデータ格納中の録音ファイルを新規なものへ変更するもの、又は（ａ２）オーディオデータ格納中の録音ファイルのその時の録音位置に、再生時の移動先再生位置指定用のインデックスを設定するものである。録音方法４０（図３）及び６４（図４）は（ａ１）の具体例である。（ａ１）の場合には、１つの録音期間に対して複数の録音ファイルが作成される。（ａ２）の場合には、１つの録音期間に対して作成される録音ファイルは１つである。インデックスは、録音装置７０のメーカーによっては、別名の「しおり」とか「ブックマーク」とかで呼ぶこともある。いずれにせよ、インデックスの付与により、ユーザは再生時では１つの録音ファイル内の該移動先再生位置へ途中の再生位置の再生を経ずに直接に移動することができる。
【００３７】
なお、区切りごとにその種類を判別し、第１の種類の区切りでは（ａ１）を実施し、第２の種類の区切りでは（ａ２）を実施するようにしてもよい。例えば、録音装置１０についての前述の説明のように、司会者と講演者とが一人ずついて、検出マイクロホンが講演者のマイクロホン７１から司会者のマイクロホン７１に切替わるごとに、オーディオデータ格納中の録音ファイルを新規の録音ファイルへ変更し、検出マイクロホンが司会者のマイクロホン７１から講演者のマイクロホン７１に切替わるごとに、オーディオデータ格納中の録音ファイルを維持しつつ、録音位置にインデックスを付けるようにしてもよい。
【００３８】
区切り処理手段７４は、その区切り処理を、例えば（ｂ１）区切り処理手段７４が検出マイクロホンの変更を判別するごとに、又は（ｂ２）区切り処理手段７４が、検出マイクロホンが所定のマイクロホンに戻ったことを判別するごとに行う。録音方法４０（図３）は（ｂ１）の具体例であり、録音方法６４（図４）は（ｂ２）の具体例である。
【００３９】
例えば、パネルディスカッション等において、司会者が１名に対して、複数のパネラーが存在する場合、司会者の所定の項目について複数のパネラーが発言し、それが一段落すると、司会者が発言するというように、司会者の発言→複数のパネラーの発言→司会者の発言→複数のパネラーの発言→・・・の繰返しサイクルで討論が進行する場合がある。（ｂ２）では、これに対処して、１項目ごとに、１つの録音ファイルを作成したり、あるいは１つのインデックスを設定したりすることになる。
【００４０】
典型的には、区切り処理手段７４は、少なくとも１つのマイクロホン７１からのオーディオ信号の出力が継続している期間及び／又はどのマイクロホン７１もオーディオ信号を出力していない期間は検出マイクロホンは変更されていないと判別する。この具体例は、録音装置１０における図５（ａ）〜（ｄ）の事例である。
【００４１】
図７は録音方法８５のフローチャートである。録音方法８５は録音装置７０に適用される。録音方法８５の具体例は録音方法４０，６４である。
【００４２】
Ｓ８６では、複数の発言者に割り当てられている複数のマイクロホン７１から供給されるオーディオ信号の有無に基づき発言がどのマイクロホンにおいて行われているかを検出マイクロホンとして検出する。Ｓ８７では、Ｓ８６において検出した検出マイクロホンの変更の有無を判定する。変更有りであれば、Ｓ８８へ進み、変更無しであれば、録音方法８５を終了する。Ｓ８８では、マイクロホン７１からのオーディオ信号のオーディオデータを格納する録音ファイルに係る区切り処理を行う。
【００４３】
Ｓ８６の処理は、録音装置７０（図６）のマイクロホン検出手段７２の機能に対応し、Ｓ８７、Ｓ８８の処理は区切り処理手段７４の機能にそれぞれ対応している。したがって、マイクロホン検出手段７２、区切り処理手段７４の機能について述べた具体的態様はＳ８６〜Ｓ８８の処理についての具体的態様としても適用可能である。
【００４４】
本発明を適用したプログラムは、コンピュータを録音装置７０の各手段として機能させる。本発明を適用した別のプログラムは、録音方法８５の各ステップをコンピュータに実行させる。
【００４５】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４６】
【図１】録音装置の構成図である。
【図２】録音装置のブロック回路図である。
【図３】録音方法のフローチャートである。
【図４】別の録音方法のフローチャートである。
【図５】マイクロホンが出力するオーディオ信号に対する録音装置における新規録音ファイルのオープンタイミングを示す図である。
【図６】本発明の録音装置の機能ブロック図である。
【図７】本発明の録音方法のフローチャートである。
【符号の説明】
【００４７】
７０：録音装置、７１：マイクロホン、７２：マイクロホン検出手段、７４：区切り処理手段、７５：録音ファイル、８５：録音方法。
【図１】
2010009649.tif 000003
【図２】
2010009649.tif 000004
【図３】
2010009649.tif 000005
【図４】
2010009649.tif 000006
【図５】
2010009649.tif 000007
【図６】
2010009649.tif 000008
【図７】
2010009649.tif 000009